(57)【要約】      （修正有）【課題】輪ゴム銃の形態変化と輪ゴムの発射態様とに変化をもたらすことが可能な輪ゴム銃を提供する。【解決手段】係止した輪ゴムを自身の引き金の操作によって発射可能な第１の銃２と、係止した輪ゴムを自身の引き金の操作によって発射可能な第２の銃３と、を備え、第１の銃と第２の銃とは、互いに連結可能に構成されるとともに、連結状態で、一方の銃の引き金の操作によって双方の銃の輪ゴムが発射されるように構成されている。第２の銃は２つの銃身を備え、２つの銃身が互いの一側面が接近する起立状態と離間する展開状態とを取り得るように機枠にヒンジを介して取り付けられ、また、連結状態では、第１の銃と第２の銃とは、各引き金に連動するスライド片２２、５２同士が連結されている。【選択図】図１１
0003198306.tif 000002
【実用新案登録請求の範囲】
【請求項１】
係止した輪ゴムを自身の引き金の操作によって発射可能な第１の銃と、
係止した輪ゴムを自身の引き金の操作によって発射可能な第２の銃と、
を備え、
前記第１の銃と前記第２の銃とは、互いに連結可能に構成されるとともに、連結状態で、前記第１の銃及び前記第２の銃のうち一方の銃の前記引き金の操作によって双方の銃の輪ゴムが発射されるように構成されている、
ことを特徴とする輪ゴム銃。
【請求項２】
前記第２の銃は２つの銃身を備え、各銃身に輪ゴムが係止可能で、自身の１つの前記引き金の操作によって各銃身に係止した輪ゴムを発射可能に構成されていることを特徴とする請求項１に記載の輪ゴム銃。
【請求項３】
前記第２の銃は、前記２つの銃身が互いの一側面が接近する起立状態と当該一側面が離間する展開状態とを取り得るように機枠にヒンジを介して取り付けられ、起立状態と展開状態との双方で、自身の１つの前記引き金の操作によって各銃身に係止した輪ゴムを発射可能に構成されていることを特徴とする請求項２に記載の輪ゴム銃。
【請求項４】
前記連結状態では、前記第１の銃及び前記第２の銃のうち一方の銃の前記引き金又は当該引き金に連動する部品と、他方の銃の前記引き金又は当該引き金に連動する部品とが連係されることを特徴とする請求項１から請求項３のいずれか一項に記載の輪ゴム銃。
【請求項５】
前記連結状態では、前記第１の銃と前記第２の銃とは、各引き金に連動するスライド片同士が連結されることを特徴とする請求項４に記載の輪ゴム銃。
【考案の詳細な説明】
【技術分野】
【０００１】
本考案は輪ゴム銃に関するものである。
【背景技術】
【０００２】
例えば、輪ゴム銃として連射式輪ゴム銃が知られている（特許文献１，２参照）。この輪ゴム銃では、複数本の輪ゴムを弾倉に装填し、それを引き金の操作毎に順次発射させる。この輪ゴム銃によれば、単発式輪ゴムのように発射毎に輪ゴムを係止する煩わしさはない。
【先行技術文献】
【特許文献】
【０００３】
【特許文献１】実用新案登録第３１７０５１５号公報
【特許文献２】実用新案登録第３１４６５０８号公報
【考案の概要】
【考案が解決しようとする課題】
【０００４】
しかしながら、このような連射式輪ゴム銃ではあっても、輪ゴム銃自体の形態は変わらず、また、輪ゴムの発射の態様に変化はない。
【０００５】
本考案は、かかる点に鑑みなされたものであり、輪ゴム銃の形態変化と輪ゴムの発射態様とに変化をもたらすことが可能な輪ゴム銃を提供することを課題とする。
【課題を解決するための手段】
【０００６】
請求項１に記載の輪ゴム銃は、
係止した輪ゴムを自身の引き金の操作によって発射可能な第１の銃と、
係止した輪ゴムを自身の引き金の操作によって発射可能な第２の銃と、
を備え、
前記第１の銃と前記第２の銃とは、互いに連結可能に構成されるとともに、連結状態で、前記第１の銃及び前記第２の銃のうち一方の銃の前記引き金の操作によって双方の銃の輪ゴムが発射されるように構成されている、
ことを特徴とする。
【０００７】
請求項２に記載の輪ゴム銃は、請求項１に記載の輪ゴム銃であって、前記第２の銃は２つの銃身を備え、各銃身に輪ゴムが係止可能で、自身の１つの前記引き金の操作によって各銃身に係止した輪ゴムを発射可能に構成されていることを特徴とする。
【０００８】
請求項３に記載の輪ゴム銃は、請求項２に記載の輪ゴム銃であって、前記第２の銃は、前記２つの銃身が互いの一側面が接近する起立状態と当該一側面が離間する展開状態とを取り得るように機枠にヒンジを介して取り付けられ、起立状態と展開状態との双方で、自身の１つの前記引き金の操作によって各銃身に係止した輪ゴムを発射可能に構成されていることを特徴とする。
【０００９】
請求項４に記載の輪ゴム銃は、請求項１から請求項３のいずれか一項に記載の輪ゴム銃であって、前記連結状態では、前記第１の銃及び前記第２の銃のうち一方の銃の前記引き金又は当該引き金に連動する部分と、他方の銃の前記引き金又は当該引き金に連動する部分が連係されることを特徴とする。
【００１０】
請求項５に記載の輪ゴム銃は、請求項４に記載の輪ゴム銃であって、前記連結状態では、前記第１の銃と前記第２の銃とは、各引き金と一体的なスライド片同士が連結されることを特徴とする。
【考案の効果】
【００１１】
請求項１に記載の輪ゴム銃によれば、第１の銃及び第２の銃を単独でも使用することができる上、第１の銃と第２の銃とを連結して使用できるので、輪ゴム銃の形態変化と輪ゴムの発射態様とに変化をもたらすことができる。また、一方の銃の引き金を操作するだけで、第１の銃及び第２の銃の双方から輪ゴムが発射されるので、操作性に優れ、興趣性の高い輪ゴム銃が実現できる。
【００１２】
請求項２に記載の輪ゴム銃によれば、前記第２の銃は２つの銃身を備え、各銃身に輪ゴムが係止可能で、自身の１つの前記引き金の操作によって各銃身に係止した輪ゴムを発射可能に構成されているので、さらに多くの輪ゴムを一度機に発射させることができ、より操作性に優れ興趣性の高い輪ゴム銃が実現できる。
【００１３】
請求項３に記載の輪ゴム銃によれば、２つの銃身の起立状態と展開状態とにおいて、自身の１つの前記引き金の操作によって各銃身に係止した輪ゴムを発射可能に構成されているので、さらに、興趣性の高い輪ゴム銃が実現できる。
【００１４】
請求項４及び請求項５に記載の輪ゴム銃によれば、少なくとも一方の銃の引き金又は当該引き金に連動する部分（例えば引き金の一体的なスライド片）と、他方の銃の引き金又は当該引き金に連動する部分（例えば引き金の一体的なスライド片）とが連係されるので、一方の銃の引き金の操作動力を他方の銃にも確実に伝達することができる。
【図面の簡単な説明】
【００１５】
【図１】本考案に係る第１の銃の外観を示した斜視図である。
【図２】図１の第１の銃の側方から見た断面を示した図である。
【図３】図１の第１の銃の動力伝達機構を示した側面図である。
【図４】本考案に係るゴム係止用回転板を示した斜視図である。
【図５】本考案に係る第２の銃を示した斜視図である。
【図６】図５の第２の銃の側方から見た断面を示した図である。
【図７】図５の第２の銃の動力伝達機構を示した側面図である。
【図８】図５の第２の銃の銃身の展開状態を示した斜視図である。
【図９】図８の第２の銃の一部を切欠いた斜視図である。
【図１０】図１の第１の銃と図５の第２の銃とを連結した輪ゴム銃の斜視図である。
【図１１】図１０の輪ゴム銃の要部断面図である。
【考案を実施するための形態】
【００１６】
以下、本考案の輪ゴム銃を図面に示した実施形態に基づいて説明する。
【００１７】
（全体構成）
実施形態の輪ゴム銃１は、図１に示すような１つの銃身を有する第１の銃２と、図５に示すような２つの銃身を有する第２の銃３とを備えている。この第１の銃２と第２の銃３とは、それぞれ、単独で使用することができる。また、第２の銃３は、図８に示すように、２つの銃身を展開した状態で使用することができる。さらに、第１の銃２と第２の銃３とは、図１０に示すように、第２の銃３を変形させて当該第２の銃３に第１の銃２を連結させることによって、一体の輪ゴム銃として使用できるように構成されている。一体の輪ゴム銃として使用する場合には、第１の銃３の引き金１３だけを引くことにより、第１の銃２及び第２の銃３に係止された輪ゴムＡを同時に発射させることができる。
【００１８】
（第１の銃２について）
第１の銃２は、図２に示すように、銃身１０の先端部に輪ゴムＡの一部を引っ掛ける引掛け片１１と、銃身１０の後端部に輪ゴムＡの他部を引き伸ばした状態で係止するゴム係止用回転板１２（図４参照）と、ゴム係止用回転板１２の回転のためのトリガとなる引き金１３と、を備えている。なお、符号１４は、例えば輪ゴムＡを発射させる際のクリック感を醸し出させるための係止レバー１４を示している。
【００１９】
引掛け片１１の近傍には、輪ゴムＡの誤射を防止するために、フック状のカバー片１５が配設されている。
このカバー片１５は、銃身１０の先端部に軸１５ａを中心に回転可能に取り付けられている。このカバー片１５の基端部には弾性突起１５ｂが形成されている。この弾性突起１５ｂは、カバー片１５の回転角度に応じて、銃身１０に形成された２つの凹部（指示せず）に選択的に係合する。
このカバー片１５は、弾性突起１５ｂが一方の凹部に係合した際には引掛け片１１の先端を覆うように位置決めされ、他の凹部に係合した際には引掛け片１１の先端を開放するように位置決めされる。そして、引掛け片１１がカバー片１５によって先端を覆われている場合には、輪ゴムＡが発射されても、その輪ゴムＡはカバー片１５によって出射が阻止される。
【００２０】
ゴム係止用回転板１２は、銃身１０の左右に渡って配設された軸１７によって爪車１８と一体的に支持されている（図４参照）。このうち爪車１８は円周方向に爪１８ａを複数有し、爪部材３１とともにラチェット機構を構成している。
爪部材３１は、図２及び図３に示すように、爪車１８の下方に配置されている。この爪部材３１は、互いに前後に離間した爪３１ａ，３１ｂを有しており、軸３２を中心に揺動可能に支持されている。この爪部材３１は、トーションスプリング（図示せず）によって爪３１ａが爪車１８に係合する方向に付勢され、引き金１３の操作をトリガとして揺動し爪３１ｂが爪車１８に係合する。この爪部材３１の揺動によって、ゴム係止用回転板１２は間欠的に回転する。
この爪部材３１の横には軸８０ａを中心に揺動する揺動部材８０が設けられている。この揺動部材８０にはピン８０ｂが付設され、このピン８０ｂは揺動部材９０の長孔９０ａに挿入されている。この揺動部材９０は二股となっており、その二股部分は爪部材３１に付設された駒３１ｃに係合している。したがって、爪部材３１は揺動部材９０の揺動によっても動作する。
【００２１】
引き金１３は、銃身１０の前後方向にスライド可能に保持されている。引き金１３には、レバー３４が配設されている。このレバー３４は、図示はしないがコイルスプリングによって所定方向に付勢されている。
そして、このレバー３４は、引き金１３が操作され後方に移動すると、一緒に後方に移動し、爪部材３１を図３における反時計方向に回転させ、前方側の爪３１ａが爪車１８の爪１８ａから離間する。しかし、直ちに後方側の爪３１ｂが爪車１８の爪１８ａに係合し、爪車１８の回転が阻止される。すなわち、爪車１８は、１ピッチだけ回転され、そこに停止される。
【００２２】
また、この第１の銃２には、輪ゴムＡの誤射を防止するように、安全装置４０が設置されている。安全装置４０は、図２及び図３に示すように、爪車１８の隣にロックレバー４１を備えている。このロックレバー４１は、図３に示すように、コイルスプリング４２の付勢力によって先端が爪車１８の爪１８ａに係合される。
【００２３】
また、安全装置４０は、ロックレバー４１の下方にスライドブロック４３を備えている。このスライドブロック４３の底面には、２つのノッチ４３ａ，４３ｂが形成されている。このスライドブロック４３の上端はロックレバー４１に係合している。一方、スライドブロック４３の底面に対向する部位には突出部４４ａを有する弾性体４４が設置されている。この弾性体４４は、楕円形に形成された合成樹脂によって形成されている。
そして、図３に示すように、スライドブロック４３の後方のノッチ４３ｂが弾性体４４の突起４４ａに係合している状態で、ロックレバー４１が爪車１８の爪１８ａに係合し、爪車１８の回転を阻止する。スライドブロック４３をスプリング４２の付勢力に抗して後方に移動し、スライドブロック４３の前方のノッチ４３ａを弾性体４４の突起４４ａに係合させると、ロックレバー４１は爪車１８の爪１８ａから離間し、爪車１８の回転を許容することになる。なお、図示はしないが、このスライドブロック４３の操作はユーザが第１の銃２の外側で行えるようになっている。
【００２４】
図３に示すように、係止レバー１４は、その中間部が軸１９によってスライド板２０に揺動自在に支持されている。スライド板２０は、銃身１０の前後方向にスライドする。このスライド板２０はコイルスプリング２０ａによって後方に向けて付勢されている。また、係止レバー１４の一端部（下端部のピン）は銃身１０の内側面に形成されたガイド溝２１に嵌合されている。そして、係止レバー１４は、スライド板２０がコイルスプリング２０ａの付勢力に抗して前方に移動したときに、軸１９を中心に前方に傾倒するようにされている。
なお、スライド板２０には爪部材７０が図示しないトーションスプリングによって所定方向に付勢されて設けられている。
【００２５】
引き金１３には、前方に延設されたスライド片２２が一体に形成されている。このスライド片２２は、先端に起立する段部２２ａを有している。そして、このスライド片２２は、コイルスプリング２３によって前方に向けて付勢されている。
【００２６】
一方、銃身１０の下部には、中間部から前端部に亘って形成された切欠き部１０ａに延長部材２５が収容配置されている。この延長部材２５は、先端に軸２６を有し、当該軸２６が銃身１０に対して回転可能に支持されている。この軸２６の周面には図２に示すように、１８０度の間隔でノッチ２６ａ，２６ｂが形成されている。一方、軸２６の隣には、弾性係止ブロック２７が配置されている。弾性係止ブロック２７は突起（指示せず）を有している。そして、弾性係止ブロック２７の突起が軸２６のノッチ２６ａに選択的に係合して延長部材２５が切欠き部１０ａ内に位置決めされる。
また、延長部材２５の他端には、弾性部材２９が設置されている。この弾性部材２９は、端面に突起２９ａを有しており、当該突起を切欠き部１０ａの壁面に形成した凹部（指示せず）に嵌合して延長部材２５の後端部を位置決めする。
この延長部材２５は、後述する第２の銃３を組付ける際に、軸２６を中心にして１８０度前方に回転されて位置決めされる。
【００２７】
また、銃身１０は、下部前端部に前方に突出するフック１０ｃを有し、また、中間部にも前方に突出するフック１０ｄを有している。またフック１０ｄの後部には、下方に開放する凹部１０ｅが形成されている。これらのフック１０ｃ，１０ｄ及び凹部１０ｅは後述する第２の銃３の連結の際に使用される。
【００２８】
次に、この第１の銃２の使用方法及び動作を説明する。
まず、銃身１０先端の引掛け片１１に輪ゴムＡの一部を引っ掛け、他部を係止レバー１４を跨ぐようにしてゴム係止用回転板１２の爪１２ａに引っ掛ける。同様に、引掛け片１１に他の輪ゴムＡの一部を引っ掛け、他部を係止レバー１４を跨ぐようにしてゴム係止用回転板１２の次の爪１２ａに引っ掛ける。これを繰り返して所定本数の輪ゴムＡをゴム係止用回転板１２の爪１２ａに引っ掛ける。
そして、このように輪ゴムＡを係止した状態で、第１の銃２の引き金１３を操作すると、引き金１３及びスライド片２２が後方に移動し、爪部材３１を爪３１ａが爪車１８の爪１８ａから外れる方向に揺動させ、これによって、ゴム係止用回転板１２が輪ゴムＡの弾性復帰力によって回転させられ、その爪１２ａに係止されている輪ゴムＡ（１発目）が発射される。この発射された輪ゴムＡは係止レバー１４に引っ掛かり、係止レバー１４ひいてはスライド板２０を前方に移動させながら飛んでゆく。すると、爪部材７０によって揺動部材８０が回転させられ、揺動部材９０が前方に移動し、爪部材３１が動かされ、再び、ゴム係止用回転板１２が輪ゴムＡの弾性復帰力によって回転させられ、その爪１２ａに係止されている輪ゴムＡ（２発目）が発射される。
このような動作を繰り返し、ゴム係止用回転板１２に係止された所定本数の輪ゴムＡは連続的に発射されることになる。
【００２９】
（第２の銃３について）
第２の銃３は図５に示されている。この第２の銃３は、第１の銃２とほぼ同じ構造を有している。したがって、第１の銃２と同じ要素は、同一の符号を付して説明を省略する。
【００３０】
この第２の銃３は、それぞれの銃身１０，１０の側面が相対向するように配置され、それらの銃身１０にそれぞれ設置された各ゴム係止用回転板１２は、１つの引き金１３の操作によって作動される。
また、図６に示すように、各銃身１０は、引き金１３を配置するための機枠５０にその下部がヒンジ結合５１によって連結されている。
すなわち、機枠５０には、図７に示すように、引き金１３と一体に形成されたスライド片５２が前後に延びている。このスライド片５２は、左右に突出する張出し片５３を有している（図９参照）。一方、各銃身１０はスライド片５４を備えている。図７及び図９に示すように、このスライド片５４には連結片５５が形成されている。そして、張出し片５３と連結片５５は、ヒンジ結合５１の軸と同心の軸を介して互いに回転可能に連結されている（図９参照）。
【００３１】
この第２の銃３では、自身の引き金１３を操作すると、その運動が、機枠５０のスライド片５２，張出し片５３，連結片５５を介してスライド片５４に伝達され、第１の銃２と同様にしてゴム係止用回転板１２が回転させられる。この動作は、図８に示すように、銃身１０が展開された場合でも同じである。
【００３２】
また、第２の銃３には、第１の銃２に連結するための構造を備えている。図１１に示すように、第２の銃３の銃身１０（図１１において下側の銃身１０）には、第１の銃２のフック１０ｃに係合するフック５６が形成されている。また、銃身１０の銃床５７は、軸５８によって銃身１０に回転可能に支持されている。この銃床５７には、係止片５９が出退可能に保持され、スプリング６０によって突出方向に付勢されている。一方、銃身１０の後端には、２つのノッチ６１ａ，６１ｂが形成されている。そして、係止片５９をノッチ６１ａに係合させることによって銃床５７が銃身１０の長手方向に対してほぼ直角になる通常の状態に位置決めし、係止片５９をノッチ６１ｂに係合させることによって銃床５７を９０度変位させた状態に位置決めする。そして、銃床５７の後面には、第１の銃２のフック１０ｄに係合するフック６２が形成されている。さらに、銃床５７の後面には、第１の銃２の凹部１０ｅに挿嵌されるスライドブロック６３が配設されている。スライドブロック６３は、銃床５７の外部に延設された釦６３ａを操作することによって突出される。
【００３３】
そして、第２の銃３の銃床５７を回動させ、係止片５７をノッチ６１ｂに係合させて銃床５７を位置決めし、その状態で、第１の銃２のフック１０ｃ，１０ｄを第２の銃３のフック５６，６２に嵌合させ、スライドブロック６３を第１の銃２の凹部１０ｅに挿嵌させることによって、図１０に示すように、第１の銃２と第２の銃３とを互いに連結させる。
【００３４】
また、第２の銃３のスライド片５２の後端部には、図１１に示すように、段部５２ａが形成されている。そして、この段部５２ａは、第１の銃２のスライド片２２が作動された際に、スライド片２２の段部２２ａに当接し、スライド片５２を作動させる。
【００３５】
したがって、第１の銃２の引き金１３の操作をトリガとして、第２の銃３の各ゴム係止用回転板１２も回転され、第１の銃２および第２の銃３の輪ゴムＡが一斉に発射される。
【００３６】
（変形例）
以上、本考案の実施形態について説明したが、本考案は、かかる実施形態に限定されず種々の変形が可能であることは言うまでもない。
例えば、上記実施形態では、第１の銃２と第２の銃３とは共に連射式輪ゴム銃として構成されているが、第１の銃２及び第２の銃３の少なくとも一方は単射式輪ゴム銃として構成されていてもよい。
【００３７】
また、上記実施形態において、引掛け片１１と、ゴム係止用回転板１２及び爪車１８と、安全装置４０とが構成されている銃身上部を銃身下部に対して着脱可能に構成してもよい。この場合、安全装置４０のスライドブロック４４は銃身下部側に残してもよい。このようにすれば、銃身上部を取り外しそこに輪ゴムを複数係止させておき、必要なときに銃身上部を装着して利用することが可能である。
【符号の説明】
【００３８】
１    輪ゴム銃
２    第１の銃
３    第２の銃
１０    銃身
１２    ゴム係止用回転板
１３    引き金
２２，５４    スライド片
５０    機枠
５１    ヒンジ結合
５７    銃床
【図１】
0003198306.tif 000003
【図２】
0003198306.tif 000004
【図３】
0003198306.tif 000005
【図４】
0003198306.tif 000006
【図５】
0003198306.tif 000007
【図６】
0003198306.tif 000008
【図７】
0003198306.tif 000009
【図８】
0003198306.tif 000010
【図９】
0003198306.tif 000011
【図１０】
0003198306.tif 000012
【図１１】
0003198306.tif 000013